(57)【要約】【課題】インクまたはそのミストが光学ピックアップに付着することを抑止できるとともに、インクカートリッジの交換を容易に行うことが可能な、新規かつ改良された電子機器を提供すること。【解決手段】前面パネル側１０４から挿入された光ディスク２００を駆動するスピンドルモータ１２２と、光ディスク２００へのデータの書き込み又は光ディスク２００からのデータの読み出しを行う光学ピックアップ１２０とを有するディスクドライブ部Ｄ１と、スピンドルモータ１２２の回転中心に対してラジアル方向と平行な方向に移動して光ディスク２００のデータ記録面と反対の面にレーベル印刷を行う印刷ヘッド１５２を有し、印刷ヘッド１５２の移動方向がスピンドルモータ１２２の回転中心に対して前面パネル１０４の右方向とされたレーベル印刷部Ｌ１と、を備える。【選択図】図１７
2010165394.tif 000002
【特許請求の範囲】
【請求項１】
前面パネル側から挿入された光ディスクを駆動するスピンドルモータと、前記光ディスクへのデータの書き込み又は前記光ディスクからのデータの読み出しを行う光学ピックアップとを有するディスクドライブ部と、
前記光ディスクのデータ記録面と反対の面にレーベル印刷を行う印刷ヘッドと前記印刷ヘッドに供給されるインクが貯留されるインクタンク部とを有し、前記スピンドルモータの回転中心に対して前記前面パネルの右方向に延在するように配置されたレーベル印刷部と、
を備える、電子機器。
【請求項２】
前記レーベル印刷部は、前記スピンドルモータの回転中心に対して前記前面パネルの右方向であり且つ前記前面パネル側に延在するように配置された、請求項１に記載の電子機器。
【請求項３】
前記印刷ヘッドは、前記スピンドルモータの回転中心に対してラジアル方向と平行な方向に移動し、前記印刷ヘッドの移動方向が前記スピンドルモータの回転中心に対して前記前面パネルの右方向とされた、請求項１に記載の電子機器。
【請求項４】
前記印刷ヘッドの移動方向が、前記スピンドルモータの回転中心に対して前記前面パネルの右方向であり、且つ前記前面パネルに向かう方向とされた、請求項３に記載の電子機器。
【請求項５】
前記印刷ヘッドは、印刷待機状態においては、前記光ディスクにレーベル印刷を行う場合よりも前記スピンドルモータの回転中心から離れた位置に配置され、前記前面パネルの近傍に位置する、請求項１に記載の電子機器。
【請求項６】
前記印刷ヘッドは前記インクタンク部と一体に構成された、請求項１に記載の電子機器。
【請求項７】
前記前面パネルが開閉可能とされ、前記前面パネルを開いた状態で少なくとも前記インクタンク部を交換可能である、請求項１に記載の電子機器。
【請求項８】
前記前面パネルの内側には、前記インクタンク部を交換するための扉が設けられた、請求項７に記載の電子機器。
【請求項９】
前記スピンドルモータの回転方向は、前記ディスクドライブ部を上から見た場合に、時計回りである、請求項１に記載の電子機器。
【請求項１０】
前記レーベル印刷部は、前記スピンドルモータの回転中心軸を中心として、前記ディスクドライブ部に対して回動可能とされた、請求項１に記載の電子機器。
【請求項１１】
前記レーベル印刷部は、前記光ディスクにレーベル印刷を行う際の第１の位置と前記印刷ヘッド又は前記インクタンク部を交換する際の第２の位置との間で回動可能とされ、前記第２の位置では、前記第１の位置よりも前記印刷ヘッド又は前記インクタンク部が前記前面パネル側に位置するように前記ディスクドライブ部に対して回動する、請求項５に記載の電子機器。
【請求項１２】
前記第２の位置において、前記印刷ヘッド又は前記インクタンク部の少なくとも一部が前記前面パネルよりも前側に突出する、請求項１１に記載の電子機器。
【請求項１３】
前記レーベル印刷部が第１の位置から第２の位置へ回動する方向へ付勢する弾性部材と、
前記光ディスクにレーベル印刷を行う際には、前記レーベル印刷部と係合して前記レーベル印刷部を前記第１の位置に保持し、前記印刷ヘッド又は前記インクタンク部を交換する際には前記レーベル印刷部との係合を解除して前記弾性部材の付勢力により前記レーベル印刷部を前記第２の位置に回動させるロックプレートと、
を備える、請求項１１に記載の電子機器。
【請求項１４】
前記光ディスクにレーベル印刷を行う際に、前記レーベル印刷部と前記ロックプレートとの係合が外れないように前記ロックプレートの移動を規制する規制部材を備える、請求項１３に記載の電子機器。
【請求項１５】
前記第２の位置において、前記印刷ヘッド又は前記インクタンク部が前記スピンドルモータの回転中心に近づく方向へ移動することを阻止するロック機構が設けられた、請求項１１に記載の電子機器。
【発明の詳細な説明】
【技術分野】
【０００１】
本発明は、電子機器に関し、特に、デジタルデータの記録や読み出しが可能な電子機器であって、光ディスク等の情報記録媒体のデータ記録面と反対側のレーベル面（文字や画像等の印刷面）にレーベル印刷を行うことが可能な電子機器に適用して好適である。
【背景技術】
【０００２】
従来の光ディスク装置等の電子機器は、例えば、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）など数メガバイト、数ギガバイトの記録容量を持った光ディスクメディアを、格納機構により装置の内部に搬送した後、スピンドルモータにクランプ（チャッキング）し、レンズを搭載した光学ヘッド等の情報記録手段により、データを読み出しあるいは読み書きする装置として知られており、一般に広く使用されている。
【０００３】
また、最近では、高密度記録を可能としたＢＤ（Ｂｌｕ−Ｒａｙ  Ｄｉｓｋ）や、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｋ）などは、基本的な構成は同じ装置であるが、光源を短波長化することや、レンズのＮＡ（Ｎｕｍｅｒｉｃａｌ  Ａｐｅｒｔｕｒｅ）値を大きくすることにより、ＤＶＤなどの従来のメディアの５倍から１０倍以上の記録容量を達成できる光ディスクメディアも開発されている。
【０００４】
これら高密度に記録できる光ディスクメディア等の情報記録媒体を使用した光ディスク装置等の情報記録装置が増加すると、記録される情報の量は多大となり、また、記録された情報記録媒体の数が増えてくると、これら多大な情報が記録された情報記録媒体を管理することは容易でない。
【０００５】
これに対して、光ディスクメディア等の情報記録媒体の管理情報をディスク等の媒体上に表示する方法が種々提案されている。例えば、特許文献１には、光ディスクメディアの管理情報を視認できるようにディスクの記録面上に記録する方法が記載されている。具体的には、光ピックアップのレーザ光を用いて、光ディスクの記録面における情報記録領域とは別の領域に記録する方法が開示されている。
【０００６】
また、光ディスク等の情報記録媒体の記録面とは反対側のレーベル面に、当該情報記録媒体に記録されている情報に対応する文字や画像等を印刷することも行われている。具体的には、例えば、レーベル印刷が可能なインクジェット方式のプリンタなどを使用して光ディスクのレーベル面に印刷が行われている。この他に、内部にインクジェットプリントヘッドを組み込んだレーベル印刷が可能な光ディスク装置も一部実用化されている。このようなレーベル印刷可能な光ディスク装置としては、光ディスク装置に印刷ヘッドを搭載して回転する光ディスクにレーベル印刷を行う方法（例えば、特許文献２を参照）や、内部に印刷機能を組み込んだ光ディスク装置（例えば、特許文献３を参照）などが提案されている。これら特許文献２、３に記載された光ディスク装置では、印刷ヘッドが光ディスクのラジアル軸上を移動可能なように構成されている。
【０００７】
また、特許文献４には、光ディスク等の情報記録媒体の内周付近の印刷を容易に行い、高速印刷を可能とし、また、装置のメンテナンスを容易に行うため、印刷ヘッドを情報記録媒体の回転中心からずれた位置で移動させる技術が開示されている。
【０００８】
【特許文献１】特開２００４−２８０９５３号公報
【特許文献２】特表２００２−８１２１４０号公報
【特許文献３】特許第３３４１５７２号公報
【特許文献４】特開２００８−９７７９３号公報
【発明の開示】
【発明が解決しようとする課題】
【０００９】
しかしながら、光ディスク装置に印刷機能を付加した場合、印刷機能によるインクおよびそのミストが飛散して光ピックアップに付着し、光ディスクの読み取りおよび書き込み性能が劣化することが懸念される。
【００１０】
特に、印刷ヘッドが光学ピックアップよりも光ディスクの回転方向の上流側の比較的近い場所に配置されていると、浮遊しているインクが光学ピックアップ側に流動し、光学ピックアップを汚染してしまうことが懸念される。
【００１１】
また、光ディスク装置などの電子機器は、通常他の機器とともにラック内に載置される。この場合において、ラック内に載置された状態では、電子機器の近傍に十分なスペースが確保できないため、インクカートリッジの交換が困難になるという問題がある。
【００１２】
通常、光ディスク装置などの電子機器を収納するラック等は、電子機器と同等の大きさで構成される。このため、電子機器をラックに収納すると、電子機器の上部及び側部には最小限のスペースしか確保されない。従って、仮に電子機器の上面又は側面からインクカートリッジを取り出す構造とすると、ラックに収納した状態でインクカートリッジを取り出すことが困難となる。この場合、インクカートリッジを取り出すためには、ラックから電子機器を取り出し、その後、電子機器からインクカートリッジを取り外すといった煩雑な作業が必要となる。
【００１３】
更に、電子機器の前面からインカートリッジを交換する構成を想定した場合、通常、電子機器の前面には光ディスクを出し入れするトレイが配置されるため、トレイとインクカートリッジの位置が干渉してしまうという問題が生じる。
【００１４】
そこで、本発明は、上記問題に鑑みてなされたものであり、本発明の目的とするところは、インクまたはそのミストが光学ピックアップに付着することを抑止できるとともに、インクカートリッジの交換を容易に行うことが可能な、新規かつ改良された電子機器を提供することにある。
【課題を解決するための手段】
【００１５】
上記課題を解決するために、本発明のある観点によれば、前面パネル側から挿入された光ディスクを駆動するスピンドルモータと、前記光ディスクへのデータの書き込み又は前記光ディスクからのデータの読み出しを行う光学ピックアップとを有するディスクドライブ部と、前記光ディスクのデータ記録面と反対の面にレーベル印刷を行う印刷ヘッドと前記印刷ヘッドに供給されるインクが貯留されるインクタンク部とを有し、前記スピンドルモータの回転中心に対して前記前面パネルの右方向に延在するように配置されたレーベル印刷部と、を備える、電子機器が提供される。
【００１６】
上記構成によれば、ディスクドライブ部は、スピンドルモータと光学ピックアップとを有する。スピンドルモータによって前面パネル側から挿入された光ディスクが駆動され、光学ピックアップにより光ディスクへのデータの書き込み又は光ディスクからのデータの読み出しが行われる。レーベル印刷部は、印刷ヘッドとインクタンク部とを有する。印刷ヘッドにより光ディスクのデータ記録面と反対の面にレーベル印刷が行われ、インクタンク部には印刷ヘッドに供給されるインクが貯留される。そして、レーベル印刷部は、スピンドルモータの回転中心に対して前記前面パネルの右方向に延在するように配置される。スピンドルモータの回転中心に対して前面パネルの右方向の領域では、印刷ヘッド又はインクタンクの配置の自由度が高まるため、前面パネルの近傍に印刷ヘッド又はインクタンクを配置することが可能となり、前側から印刷ヘッド又はインクタンクを交換することが可能となる。これにより、特にラックなどに電子機器を収納した場合に、側面や上方向に十分なスペースを確保できない場合においても、電子機器の前側から印刷ヘッドまたはインクタンクを交換することが可能となる。また、通常、スピンドルモータの回転方向は、上方から見た場合に時計回りであるため、レーベル印刷部を前面パネルの右方向に延在するように配置することで、光学ピックアップとの距離を十分に確保することが可能となる。従って、インクまたはそのミストが光学ピックアップに付着することを確実に抑止することができる。
【００１７】
また、前記レーベル印刷部は、前記スピンドルモータの回転中心に対して前記前面パネルの右方向であり且つ前記前面パネル側に延在するように配置されたものであってもよい。かかる構成により、印刷ヘッドまたはインクタンクをスピンドルモータの回転中心に対して前面パネルの右方向であり且つ前面パネル側に配置することができる。従って、電子機器の前側から印刷ヘッドまたはインクタンクを交換することが可能となる。
【００１８】
また、前記印刷ヘッドは、前記スピンドルモータの回転中心に対してラジアル方向と平行な方向に移動し、前記印刷ヘッドの移動方向が前記スピンドルモータの回転中心に対して前記前面パネルの右方向とされたものであってもよい。かかる構成により、前面パネルの右方向の領域では、印刷ヘッド又はインクタンクの配置の自由度が高まるため、印刷待機位置において、前面パネルの近傍に印刷ヘッド又はインクタンクを配置することが可能となる。従って、電子機器の前側から印刷ヘッドまたはインクタンクを交換することが可能となる。
【００１９】
また、前記印刷ヘッドの移動方向が、前記スピンドルモータの回転中心に対して前記前面パネルの右方向であり、且つ前記前面パネルに向かう方向とされたものであってもよい。かかる構成により、印刷待機位置において、印刷ヘッドまたはインクタンクをスピンドルモータの回転中心に対して前面パネルの右方向の前面パネル近傍に配置することができる。従って、電子機器の前側から印刷ヘッドまたはインクタンクを交換することが可能となる。
【００２０】
また、前記印刷ヘッドは、印刷待機状態においては、前記光ディスクにレーベル印刷を行う場合よりも前記スピンドルモータの回転中心から離れた位置に配置され、前記前面パネルの近傍に位置するものであってもよい。かかる構成により、印刷待機状態においては、印刷ヘッドがスピンドルモータの回転中心から離れた位置に配置されるため、印刷ヘッドを前面パネル近傍に配置することができる。
【００２１】
また、前記印刷ヘッドは前記インクタンク部と一体に構成されたものであってもよい。かかる構成により、印刷ヘッドとインクタンク部を共に交換することが可能となる。
【００２２】
また、前記前面パネルが開閉可能とされ、前記前面パネルを開いた状態で少なくとも前記インクタンク部を交換可能であってもよい。かかる構成により、前面パネルを開閉することで容易にインクタンク部を交換することが可能となる。
【００２３】
また、前記前面パネルの内側には、前記インクタンク部を交換するための扉が設けられていてもよい。かかる構成により、前面パネルの内側の扉を開くことでインクタンク部を交換することが可能となる。
【００２４】
また、前記スピンドルモータの回転方向は、前記ディスクドライブ部を上から見た場合に、時計回りであってもよい。かかる構成により、スピンドルモータの回転方向において、印刷ヘッドと光学ピックアップとの距離を十分に確保することができ、インクまたはそのミストによって光学ピックアップが汚染されることを確実に抑えることが可能となり、信頼性を向上できる。
【００２５】
また、前記レーベル印刷部は、前記スピンドルモータの回転中心軸を中心として、前記ディスクドライブ部に対して回動可能であってもよい。かかる構成により、印刷ヘッド又はインクタンク部を交換する際に、印刷ヘッド又はインクタンク部を前面パネル側へ移動させることができ、印刷ヘッド又はインクタンク部を容易に交換することが可能となる。
【００２６】
また、前記レーベル印刷部は、前記光ディスクにレーベル印刷を行う際の第１の位置と前記印刷ヘッド又は前記インクタンク部を交換する際の第２の位置との間で回動可能とされ、前記第２の位置では、前記第１の位置よりも前記印刷ヘッド又は前記インクタンク部が前記前面パネル側に位置するように前記ディスクドライブ部に対して回動するものであってもよい。かかる構成により、第１の位置では光ディスクにレーベル印刷を行うことができ、第２の位置では、前面パネル側で印刷ヘッド又は前記インクタンク部を交換することが可能となる。
【００２７】
また、前記第２の位置において、前記印刷ヘッド又は前記インクタンク部の少なくとも一部が前記前面パネルよりも前側に突出するものであってもよい。かかる構成により、前面パネルよりも前側に突出した印刷ヘッド又はインクタンク部を容易に交換することが可能となる。
【００２８】
また、前記レーベル印刷部が第１の位置から第２の位置へ回動する方向へ付勢する弾性部材と、前記光ディスクにレーベル印刷を行う際には、前記レーベル印刷部と係合して前記レーベル印刷部を前記第１の位置に保持し、前記印刷ヘッド又は前記インクタンク部を交換する際には前記レーベル印刷部との係合を解除して前記弾性部材の付勢力により前記レーベル印刷部を前記第２の位置に回動させるロックプレートと、を備えるものであってもよい。かかる構成により、印刷ヘッド又は前記インクタンク部を交換する際にはロックプレートとレーベル印刷部との係合を解除が解除されるため、弾性部材の付勢力によりレーベル印刷部を第１の位置から第２の位置へ回動させることが可能となる。
【００２９】
また、前記光ディスクにレーベル印刷を行う際に、前記レーベル印刷部と前記ロックプレートとの係合が外れないように前記ロックプレートの移動を規制する規制部材を備えるものであってもよい。かかる構成により、通常のレーベル印刷時において、レーベル印刷部とロックプレートとの係合が外れてしまうことを抑止でき、レーベル印刷部が第２の位置へ回動してしまうことを抑止できる。
【００３０】
また、前記第２の位置において、前記印刷ヘッド又は前記インクタンク部が前記スピンドルモータの回転中心に近づく方向へ移動することを阻止するロック機構が設けられたものであってもよい。かかる構成により、第２の位置において印刷ヘッド又は前記インクタンク部を交換する際に、印刷ヘッドの駆動機構に操作力が加えられることを抑止することが可能となり、駆動機構に損傷が生じることを確実に抑えることができる。
【発明の効果】
【００３１】
本発明によれば、インクまたはそのミストが光学ピックアップに付着することを抑止できるとともに、インクカートリッジの交換を容易に行うことが可能な、電子機器を提供することができる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は以下の順序で行う。
１．レーベル印刷に関する前提技術について
２．本発明の一実施形態にかかる電子機器の概要
３．ドライブ部Ｄ１に対するレーベル印刷部Ｌ１の配置について
４．ドライブ部Ｄ１に対してレーベル印刷部Ｌ１が回動する構成について
５．レーベル印刷部Ｌ１の回動に関係する各種機構について
【００３３】
［１．レーベル印刷に関する前提技術について］
まず、図１〜図５に基づいて、電子機器の一例として、レーベル印刷機能を有する光ディスク装置の構成の概要について説明する。なお、図１は、本実施形態の前提技術として、レーベル印刷機能を有する光ディスク装置７００（トレイ方式）の外観構成を示す斜視図であり、図２は、本実施形態の前提技術として、レーベル印刷機能を有する光ディスク装置８００（スロットイン方式）の外観構成を示す斜視図であり、図３は、光ディスク２００のラジアル方向及びタンジェンシャル方向を示す説明図であり、図４は、光ディスク装置７００の内部構成を示す斜視図であり、図５は、光ディスク装置７００の内部構成を示す平面図である。
【００３４】
図１及び図２に示した光ディスク装置７００や光ディスク装置８００は、例えば、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの数メガバイト、数ギガバイトの記録容量を持った光ディスクメディアや、ＢＤ（Ｂｌｕ−Ｒａｙ  Ｄｉｓｋ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｋ）などの数十ギガバイトの記録容量を持った光ディスクメディアや、ニアフィールド記録などを用いて、デジタルデータの記録や読出が可能な光ディスク装置のうち、メディアを交換可能なリムーバブル光ディスク装置の一例である。これらの光ディスク装置の中には、一方の面にデータ記録面を有し、他方の面（データ記録面とは反対側の面）にはレーベル面（記録されたデータに対応する文字や画像等の情報の印刷面）を有するディスク状の情報記録媒体を用いて、装置内部でレーベル印刷を行うことが可能なものもある。上記光ディスク装置７００及び光ディスク装置８００はともに、レーベル印刷可能な光ディスク装置の一例でもある。
【００３５】
まず、図１及び図２を参照しながら、光ディスク装置７００及び光ディスク装置８００の外観構成について説明する。
【００３６】
図１に示すように、トレイ方式の光ディスク装置７００においては、略直方体の筐体７１０に、上蓋７１２及びトレイ７２０が設けられている。印刷ヘッド（図４及び図５を参照）の交換や、キャップやインク溜め（図４及び図５を参照）の交換などのメンテナンスを行う場合には、上蓋７１２を取り外して光ディスク装置７００の上方から行うことができる。
【００３７】
トレイ７２０は、所定のローディング機構（図示せず）により、光ディスク装置７００の内部から外部へせり出すように光ディスクのラジアル方向に移動可能に設けられている。また、このトレイ７２０の上面側には、径が光ディスク２００と略同一の略円形状の凹部であるディスク載置部７２２が形成されている。
【００３８】
ここで、ラジアル方向とは、図３に示すように、略円盤状の光ディスク２００の半径方向のことを意味する。一方、タンジェンシャル方向とは、光ディスク２００上において、ラジアル方向に垂直な方向を意味する。なお、光ディスク２００２００中心部には、光ディスク装置７００及び８００内部に設けられたスピンドルモータ（後述するスピンドルモータ１２２）のハブ部分に嵌合する開口部２００ａが形成されている。従って、ラジアル方向とは、スピンドルモータの回転による円の軌跡に対して半径方向のことを意味するものでもあり、タンジェンシャル方向とは、スピンドルモータの回転による円の軌跡に対してラジアル方向に垂直な方向を意味するものでもある。
【００３９】
光ディスク２００は、このディスク載置部７２２に載置され、ローディング機構により光ディスク装置７００の内部に搬送される。このようにして、光ディスク２００を光ディスク装置７００の内部に搬送した後、スピンドルモータにクランプ（チャッキング）され、レンズを搭載した光学ピックアップ等の光学ヘッド（図４及び図５を参照）により光ディスク２００のデータ記録面にレーザ光を照射することにより、光ディスク２００に記録されたデータを読み出したり、あるいは、光ディスク２００に対してデータを読み書きしたりすることができる。
【００４０】
一方、図２に示すように、スロットイン方式の光ディスク装置８００においては、略直方体の筐体８１０に、上蓋８１２、開口部８１４及びスロットカバー８１６が設けられている。印刷ヘッド（図示せず）の交換や、キャップやインク溜め（図示せず）の交換などのメンテナンスを行う場合には、光ディスク装置７００の場合と同様に、上蓋８１２を取り外して光ディスク装置８００の上方から行うことができる。また、光ディスク２００は、開口部８１４より挿入され、所定のローディング機構（図示せず）により光ディスク装置８００の中に搬送され、スピンドルモータにクランプ（チャッキング）され、レンズを搭載した光学ヘッドにより光ディスク２００のデータ記録面にレーザ光を照射することにより、光ディスク２００に記録されたデータを読み出したり、あるいは、光ディスク２００に対してデータを読み書きしたりすることができる。
【００４１】
開口部８１４及びスロットカバー８１６はともに、筐体８１０の光ディスク２００の出入口側（光ディスク装置８００の前面側）に設けられている。また、スロットカバー８１６は開閉可能に設けられており、光ディスク２００の搬出入中は開口部８１４を開放し、光ディスク２００の記録・再生中は開口部８１４を閉止する。
【００４２】
なお、トレイ方式の場合、トレイ７２０の底面または側面にラックが形成されており、ラックに噛合するピニオンをモータで駆動することによりトレーをイジェクト位置または装着位置に移動させるように構成されている。また、スロットイン方式の場合、開口部８１４の内側に光ディスク２００を保持するローラと、ローラを支持するローディングアームとが設けられており、光ディスク２００が開口部８１４に挿入されてローラに保持された状態でローディングアームが挿入方向に回動して、光ディスク２００を所定の装着位置に移動させる。また、イジェクト時は、ローディングアームがイジェクト方向に回動して光ディスク２００を開口部８１４から排出させる。
【００４３】
次に、図４及び図５を参照しながら、前提技術としての光ディスク装置のうち、光ディスク装置７００を例に挙げて、その内部構成及び動作について説明する。
【００４４】
図４及び図５に示すように、光ディスク装置７００は、主に、光ディスク２００を使用してデータの記録及び再生を行うドライブ部Ｄ７と、光ディスク２００のデータ記録面とは反対側のレーベル面（印刷面）側、すなわちドライブ部Ｄ７の上部に設けられてレーベル印刷を行うレーベル印刷部Ｌ７と、を主に備える。
【００４５】
ドライブ部Ｄ７は、上述した上蓋７１２とともに筐体７１０（ともに図１及び図２を参照）を構成する、前面板７１４と、後面板７１６と、２枚の側面板７１８、７１８とにより囲まれた領域内に位置し、所定のローディング機構により移動可能に設けられたトレイ７２０と、トレイ７２０のディスク載置部７２２の中央部上方に設けられたチャッキングプレート７３０と、トレイ７２０の下方（光ディスク２００のデータ記録面側）に設けられた情報記録手段としての光学ピックアップ７４０と、を主に備える。
【００４６】
トレイ７２０は、その上面側に設けられた略円形の凹部であるディスク載置部７２２に光ディスク２００を載置し、光ディスク２００を光ディスク装置７００の内部に挿入したり、外部へ排出したりする。このトレイ７２０は、光ディスク２００のラジアル方向に平行に前後に移動可能に設けられており、光ディスク装置７００の前面側（前面板７１４の側）から外部に光ディスク２００を排出したり、前面側でディスクの交換を行ったりする。
【００４７】
チャッキングプレート７３０は、中心部に軸を有する部材であり、略長方形の板状のチャッキングプレート支持板７３２にベアリング（図示せず）を介して取り付けられており、チャッキングプレート支持板７３２により上部から支持されている。このチャッキングプレート７３０は、光ディスク２００の下面側（データ記録面の側）に設けられて光ディスク２００を回転させるスピンドルモータのハブ部分とともに、光ディスク２００を挟持し、光ディスク２００とともに回転する。また、チャッキングプレート支持板７３２の長手方向の両端は、側面板７１８の上面に取り付けられ、チャッキングプレート支持板７３２は、その中央部でチャッキングプレート７３０を支持している。
【００４８】
光学ピックアップ７４０は、トレイ７２０の下方、すなわち、光ディスク２００の記録面側に、ラジアル方向に移動可能に設けられている。また、光学ピックアップ７４０は、光ディスク２００の記録面に向けてレーザ光を照射するためのレンズ７４２を有しており、レンズ７４２がレーザ光を集光して光ディスク２００の記録面にレーザ光を照射することにより、データの記録や再生を行うことができる。
【００４９】
かかる構成を有する光ディスク装置７００のドライブ部Ｄ７においては、光ディスク２００をトレイ７２０のディスク載置部７２２に載置し、トレイ７２０が装置内部に移動することにより、光ディスク２００が装置内部に格納され、スピンドルモータのハブ部とチャッキングプレート７３０に挟持されてクランプされた後に、スピンドルモータの駆動により光ディスク２００が回転する。この光ディスク２００が回転している状態で、光学ピックアップ７４０がラジアル方向に移動しながら、光ディスク２００のデータ記録面に向けてレーザ光を集光するように接近し、データの読み書きを行う。
【００５０】
なお、ドライブ部Ｄ７の他の構成については、公知の光ディスク装置と同様であるので、詳細な説明は省略する。
【００５１】
レーベル印刷部Ｌ７は、印刷ヘッド７５０と、印刷ヘッド７５０をラジアル方向に移動させるための印刷ヘッド駆動機構と、印刷ヘッド７５０のキャップやクリーニングを行う印刷ヘッドメンテナンス手段とを主に備える。
【００５２】
印刷ヘッド７５０は、光ディスク２００の中心（あるいはチャッキングプレート７３０）に対して、光ディスク装置７００の前面側（前面板７１４側）とは反対側に配置されており、また、光学ピックアップ７４０とは光ディスク２００に対して反対側（光ディスク２００のレーベル面側）に設けられ、ラジアル軸Ｒに沿って（すなわち、光ディスク２００の半径方向に）移動可能なように構成されている。また、印刷ヘッド７５０の下面側（光ディスク２００のレーベル面側）には、インク吐出部７５０ａが設けられており、印刷ヘッド７５０がラジアル軸上を回転している光ディスク２００の外周または内周に向かって移動しながら、インク吐出部７５０ａからインクを吐出することにより、光ディスク２００のレーベル面にレーベル印刷を行うことができる。
【００５３】
印刷ヘッド７５０は、略コの字状の印刷ヘッドホルダ７５２により三方から保持され、ヘッド支持板７５４に取り付けられている。このヘッド支持板７５４の上面側には、印刷ヘッド７５０の左右両側に各２個ずつヘッド駆動用ベアリング部材７５６が設けられている。各ヘッド駆動用ベアリング部材７５６には、それぞれラジアル方向に平行な方向に貫通するようなベアリング（リニアベアリング）７５６ａが設けられている。また、ラジアル方向に並んだ２個のベアリング７５６ａの内周を挿通するように、（ラジアル方向に平行で）略平行に配置された２本のヘッド駆動用シャフト７５７が設けられている。２本のヘッド駆動用シャフト７５７の両端（前面板７１４側の端部及び後面板７１６側の端部）はそれぞれ、同一のシャフト支持部材７５８により支持されている。
【００５４】
印刷ヘッド駆動機構は、ヘッド駆動モータ７６０と、ヘッド駆動モータ７６０に連結されたボールネジ７６２と、ボールネジ７６２が挿通されたベアリング７６４と、ベアリング７６４とヘッド支持板７５４とを連結する連結部材７６６と、ヘッド駆動モータ７６０及びボールネジ７６２を支持する駆動機構支持部材７６８とから主に構成される。
【００５５】
ヘッド駆動モータ７６０は、その動力によりボールネジ７６２を回転させる。ボールネジ７６２は、ラジアル方向に平行な方向に延設されており、ベアリング７６４は、ボールネジ７６２の回転によりラジアル方向に平行な方向に移動可能なように構成されている。連結部材７６６は、ベアリング７６４とヘッド支持板７５４とを連結することで、ベアリング７６４の移動に伴い、ヘッド支持板７５４をラジアル方向に平行な方向に移動させることができる。駆動機構支持部材７６８は、ヘッド駆動モータ７６０とボールネジ７６２の連結部及びボールネジ７６２の先端部を支持する。
【００５６】
なお、シャフト支持部材７５８及び駆動機構支持部材７６８は、図示しない上部に設けられた板状の支持部材に取り付けられている。
【００５７】
印刷ヘッドメンテナンス手段は、キャップ７７２及びインク溜め７７４を収容するキャップ収容部７７０を備える。キャップ７７２は、印刷ヘッドの乾燥を抑制するためのもので、印刷待機中は、印刷ヘッド７５０のインク吐出部７５０ａはキャップ７７２によりキャップされる。また、インク溜め７７４は、例えば、インク吐出部７５０ａが詰まってインクが出ないというような印刷エラーを防止するために、印刷ヘッド７５０に空気が混入しないように空うち（レーベル印刷とは関係なくインク吐出部７５０ａからインクを吐出させること）する場所である。これらキャップ７７２及びインク溜め７７４が収容されたキャップ収容部７７０は、光ディスク２００の排出側（取り出し口側）とは反対側の光ディスク装置７００の後方側（後面板７１６側）に設置されている。
【００５８】
かかる構成を有する光ディスク装置７００のレーベル印刷部Ｌ７においては、ヘッド駆動モータ７６０の回転によりボールネジ７６２が回転すると、ベアリング７６４がボールネジ７６２に沿ってラジアル方向に平行な方向に移動する。このベアリング７６４は、連結部材７６６を介して、ヘッド支持板７５４と連結されているため、ヘッド支持板７５４が、ベアリング７６４の移動と協働してラジアル方向に移動する。この際、ヘッド支持板７５４に設けられたヘッド駆動用ベアリング部材７５６の内部をベアリング７５６ａを介してヘッド駆動用シャフト７５７が挿通していることから、ヘッド支持板７５４は、ラジアル方向に互いに平行に配置された２本のヘッド駆動用シャフト７５７に案内されて、ラジアル方向に平行な方向に直線的に移動することができる。ここで、印刷ヘッド７５０はラジアル軸Ｒにその中心が来るように配置されているので、ヘッド支持板７５４の移動、すなわち、ベアリング７６４の移動に伴い、ラジアル軸上を光ディスクの内周方向及び外周方向に自在に移動することができる。
【００５９】
［２．本発明の一実施形態にかかる電子機器の概要］
図６は、本発明の一実施形態にかかる電子機器としての光ディスク装置１００の外観を示す斜視図である。光ディスク装置１００は、箱型の筐体内に光ディスク２００へのデータの記録、光ディスク２００からのデータの読出しを行うドライブ部Ｄ１と、光ディスク２００の表面にレーベル印刷を行うレーベル印刷部Ｌ１が格納されて構成されている。なお、以下では電子機器としてデータの記録再生を行う光ディスク装置１００を例示するが、電子機器はこれに限定されるものではない。電子機器は、例えばデスクトップ型、ノートブック型のパーソナルコンピュータ、家庭用映像処理装置（ＤＶＤレコーダ、ビデオデッキなど）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、車載器などであってもよい。また、ディスクドライブ装置１は、ＰＣ用外付けドライブであってもよく、ＢＤ（Ｂｌｕ−Ｒａｙ  Ｄｉｓｃ（登録商標））―Ｒ／ＢＤ−ＲＥなどの次世代光ディスクシステムに適用してもよい。このように、電子機器は、ドライブ部Ｄ１及びレーベル印刷部Ｌ１を備えるものであれば、どのような機器であっても良い。
【００６０】
光ディスク装置１００には、光ディスクを出し入れするためのトレイ１１０が設けられている。図７は、トレイ１１０を前側に駆動した状態を示している。このように、トレイ１１０を前側に駆動した状態でトレイ１１０上に光ディスク２００が載置される。そして、トレイ１１０を光ディスク装置１００内に収納することで、光ディスク２００がドライブ部Ｄ１内に収納され、データの記録、再生、およびレーベル印刷を行うことができる。
【００６１】
光ディスク装置１００の前面には、前面パネル１０４が設けられている。後で詳細に説明するが、前面パネル１０４は開閉可能とされ、レーベル印刷部Ｌ１の印刷ヘッド１５２を交換する際に開かれる。
【００６２】
図８は、光ディスク装置１００の上面を囲う筐体１０２を取り外した状態を示す上面図である。また、図９は、図８と同様に筐体１０２を取り外した状態を右斜め上から見た状態を示す斜視図である。光ディスク装置１００は、主に、光ディスク２００を使用してデータの記録及び再生を行うドライブ部Ｄ１と、光ディスク２００のデータ記録面とは反対側のレーベル面（印刷面）側にレーベル印刷を行うレーベル印刷部Ｌ１と、を備える。レーベル印刷部Ｌ１は、ドライブ部Ｄ１の上部に設けられている。
【００６３】
図１０は、図８に示す状態から、レーベル印刷部Ｌ１の上部を囲うカバー１５０を取り外した状態を示す上面図である。同様に、図１１は、図９に示す状態から、レーベル印刷部Ｌ１の上部を囲うカバー１５０を取り外した状態を示す斜視図である。ドライブ部Ｄ１は、所定のローディング機構により移動可能に設けられたトレイ１１０と、トレイ１１０のディスク載置部１１２の中央部上方に設けられたチャッキングプレート（不図示）と、トレイ１１０の下方（光ディスク装置１００に挿入された光ディスク２００のデータ記録面側）に設けられた情報記録手段としての光学ピックアップ１２０と、光ディスク２００を回転させるスピンドルモータ１２２と、を主に備える。
【００６４】
図７に示したように、トレイ１１０は、所定のローディング機構（図示せず）により、光ディスク装置１００の内部から外部へせり出すように、スピンドルモータ１２２の回転軸を中心とする円弧のラジアル方向（以下、単にラジアル方向という場合がある）に移動可能に設けられている。また、このトレイ１１０の上面側には、径が光ディスク２００の直径よりもやや大きい略円形状の凹部であるディスク載置部１１２が形成されている。かかる構成により、トレイ１１０は、ディスク載置部１１２に光ディスク２００を載置した状態で、光ディスク２００を光ディスク装置１００の内部へ挿入したり、光ディスク装置１００の外部へ光ディスク２００を排出したりすることができる。また、トレイ１１０の中央には、トレイ１１０を貫通する開口１１４が設けられている。
【００６５】
チャッキングプレートは、中心部に軸を有する略円盤状の部材であり、ベアリング（図示せず）を介して取り付けられている。チャッキングプレートは、光ディスク２００の下面側（データ記録面側）に設けられて光ディスク２００を回転させるスピンドルモータ１２２のハブ部分とともに光ディスク２００を挟持し、挟持した状態で光ディスク２００とともに回転する。
【００６６】
光学ピックアップ１２０は、トレイ１１０の下方、すなわち、光ディスク２００の記録面側に、スピンドルモータ１２２の回転軸を中心とする円弧のラジアル方向に移動可能に設けられている。また、光学ピックアップ１２０は、光ディスク２００の記録面に向けてレーザ光を照射するためのレーザ光源及びレンズを有しており、レーザ光源からのレーザ光をレンズで集光して光ディスク２００の記録面に照射することにより、データの記録や再生を行うことができる。
【００６７】
かかる構成を有する光ディスク装置１００のドライブ部Ｄ１においては、光ディスク２００をトレイ１１０のディスク載置部１１２に載置し、トレイ１１０が装置内部に移動することにより、光ディスク２００が装置内部に格納される。そして、光ディスク２００は、トレイ１１０の中央に設けられた開口１１４から上に向けて突出させたスピンドルモータ１２２のハブ部と、チャッキングプレートにより挟持されてクランプされ、スピンドルモータ１２２の駆動によって回転する。この光ディスク２００が回転している状態で、光学ピックアップ１２０がラジアル方向に移動しながら、光ディスク２００のデータ記録面に向けてレーザ光を集光するように接近し、データの読み書きを行う。なお、ドライブ部Ｄ１の他の構成については、公知の光ディスク装置と同様であるので、詳細な説明は省略する。
【００６８】
本実施形態に係るレーベル印刷部Ｌ１は、印刷ヘッド１５２と、印刷ヘッド１５２をラジアル方向と平行に移動させるための印刷ヘッド移動手段と、印刷ヘッド１５２のキャップやクリーニングを行う印刷ヘッドメンテナンス手段とを主に備える。
【００６９】
印刷ヘッド１５２は、光ディスク２００に対して光学ピックアップ１２０と反対側（光ディスク２００のレーベル面側）に設けられ、ラジアル方向に平行な方向（図１０中に一点鎖線で示すＰ軸の方向）に移動可能なように構成されている。また、印刷ヘッド１５２の下面側（光ディスク２００のレーベル面側）には、インク吐出部１５２ａが設けられており、印刷ヘッド１５２がラジアル方向に平行なＰ軸上を移動しながら、回転している光ディスク２００に対してインク吐出部１５２ａからインクを吐出することにより、光ディスク２００のレーベル面にレーベル印刷を行うことができる。
【００７０】
図１２は、レーベル印刷に用いるインクジェット方式の印刷ヘッド１５２の構成例を示す斜視図である。図１２（ａ）に示す印刷ヘッド１５２は、インク吐出部１５２ａを有する印刷ヘッド１５２がインクタンク部１５２ｂと一体的に形成されている。一方、図１２（ｂ）に示す印刷ヘッド１５２は、インク吐出部１５２ａが、インクタンク部１５２ｂと連結部１５２ｃを介して分離可能に連結されている例である。なお、いずれの場合も、インクと吐出を制御する信号を入力する部分は省略している。本実施形態では、主として印字ヘッド１５２とインクタンク部１５２ｂをともに交換する場合について例示するが、印字ヘッド１５２またはインクタンク部１５２ｂのいずれか一方のみを交換しても良い。
【００７１】
インク吐出部１５２ａは、図示していないが、例えば、ラジアル方向に配置された複数（例えば、４０μｍ程度のピッチで３００個から４００個）のノズルからなる。このラジアル方向に配置されたノズルは、一列でもよいが、複数列（例えば、二列）であってもよく、この場合、ノズルは、光ディスク２００の面に平行な面に二次元的に配置される。
【００７２】
また、印刷ヘッド１５２は、略コの字状の印刷ヘッドホルダ１５４により三方から保持され、ヘッド支持板１５６に取り付けられている。
【００７３】
印刷ヘッド移動手段は、ヘッド駆動モータ１５８と、ヘッド駆動モータ１５８に連結されたボールネジ１６０と、ボールネジ１６０が挿通されたボールネジナット（不図示）とから主に構成される。ボールネジナットは、ヘッド支持板１５６に連結されている。ヘッド駆動モータ１５８、およびボールネジ１６０は、レーベル印刷部Ｌ１のベースプレート１６２上に配置されている。
【００７４】
ヘッド駆動モータ１５８は、その動力によりボールネジ１６０を回転させる。ボールネジ１６０は、ラジアル方向に平行な方向に延設されており、ボールネジナットは、ボールネジ１６０の回転によりラジアル方向に平行な方向に移動するように構成されている。ヘッド駆動モータ１５８が駆動されると、ボールネジ１６０が回転し、ボールネジナットが移動する。これにより、ボールネジナットの移動に伴い、ヘッド支持板１５６が動き、印刷ヘッド１５２をラジアル方向に平行な方向に移動させることができる。
【００７５】
なお、レーベル印刷部Ｌ１のベースプレート１６２上には、ヘッド駆動用シャフト（不図示）が設けられている。また、ヘッド支持板１５６の下面側には、図１及び図２の光ディスク装置７００，８００と同様に、ヘッド駆動用ベアリング部材及びベアリング（不図示）が設けられている。ヘッド駆動用シャフトは、ラジアル方向と平行な方向に延設されている。ベアリングは、ヘッド駆動用シャフトが挿入される貫通孔を有している。
【００７６】
また、本実施形態に係る光ディスク装置１００においては、印刷ヘッド１５２のラジアル方向の移動を、例えばリミットセンサ（図示せず）等により制御することができる。ここで、リミットセンサは、印刷エリアを制御するための部材であり、少なくとも、印刷ヘッド１５２のインク吐出部１５２ａが光ディスク２００の後面側の周縁部まで到達することが可能な位置に設置されることが好ましい。リミットセンサをこのような位置に設置することにより、印刷ヘッド１５２が光ディスク２００のレーベル面に印刷を行う際に、印刷可能エリアを広くすることができ、光ディスク２００の内周付近の印刷を容易に行うことができる。
【００７７】
印刷ヘッドメンテナンス手段は、キャップ及びインク溜めを収容するキャップ収容部を備える。印刷ヘッドメンテナンス手段は、例えば図１〜図５で説明した光ディスク装置７００，８００と同様に構成されることができる。
【００７８】
かかる構成を有する光ディスク装置１００のレーベル印刷部Ｌ１においては、ヘッド駆動モータ１５８の回転によりボールネジ１６０が回転すると、ボールネジナットがボールネジ１６０に沿ってラジアル方向に移動する。このボールネジナットはヘッド支持板１５６と連結されているため、ヘッド支持板１５６がボールネジナットとともにラジアル方向に移動する。この際、ヘッド支持板１５６に設けられたベアリングの内部をヘッド駆動用シャフトが挿通していることから、ヘッド支持板１５６は、ヘッド駆動用シャフトに案内されて、ラジアル方向に平行な方向に直線的に移動することができる。印刷待機中においては、図１〜図５で説明した光ディスク装置１００と同様に、印刷ヘッド１５２のインク吐出部１５２ａはキャップ（不図示）によりキャップされ、印刷ヘッド１５２はスピンドルモータ１２２の回転軸から最も離れた位置に配置される。
【００７９】
ここで、図１３及び図１４に基づいて、本実施形態に係る光ディスク装置１００によりレーベル印刷が行われた光ディスク２００について説明する。なお、図１３（ａ）は、印刷ヘッド１５２の移動方向をスピンドルモータ１２２の中心を通るラジアル方向とした場合を示しており、図１３（ｂ）は、印刷ヘッド１５２の移動方向をスピンドルモータ１２２の中心を通るラジアル方向と平行な方向とした場合を示している。また、図１４は、図１３（ｂ）の場合において、光ディスク装置１００へのレーベル印刷の例を示す説明図である。
【００８０】
図１３（ａ）に示す場合は、印刷ヘッド１５２はラジアル軸Ｒ上を移動するので、チャッキングプレート等の部材と接触してしまうことを避けるため、光ディスク２００の内周付近まで移動することができず、光ディスク２００の内周付近の印刷に若干難点がある。
【００８１】
一方、図１３（ｂ）の場合は、印刷ヘッド１５２は、光ディスク２００の回転中心を通り、光ディスク２００の径方向に平行なラジアル軸Ｒからずれた（オフセットされた）位置にその中心が来るように配置され、このオフセットされた位置で移動することができる。したがって、印刷ヘッド１５２がチャッキングプレート等の部材と接触することがないので、印刷可能エリアを広くすることができる。従って、光ディスク２００の内周付近（開口部２００ａの周囲の領域Ｗ）の印刷を容易に行うことができる。例えば、図１４に示したように、光ディスク２００のレーベル面に全面印刷を行うような場合でも、光ディスク２００の内周付近の領域Ｗにも図柄を印刷することができる。また、上記のように印刷エリアが広くなることにより、光ディスク２００のレーベル面に全面印刷を行う場合などであっても、印刷時間が大幅に短縮でき、高速印刷が可能となる。
【００８２】
また、図１５に示した印刷例は、印刷ヘッド１５２として、光ディスク２００のラジアル方向に平行な方向にノズルが複数（例えば、４０μｍ程度のピッチで３００個から４００個並んだものが一列または二列）配置されたものを用い、この印刷ヘッド１５２を、１回または複数回光ディスク２００上を移動させてレーベル印刷を行うことにより得ることができる。
【００８３】
本実施形態では、印刷ヘッド１５２の位置を適宜に配置することで、図１３（ａ）、図１３（ｂ）のいずれの場合についてもレーベル印刷が可能である。また、上記の例では、印刷ヘッド１５２が直線的に常にラジアル方向と平行な方向に移動する例について説明したが、印刷ヘッド１５２は、チャッキングプレートや光学ピックアップ１２０と干渉しないように動くのであれば、必ずしも常にラジアル方向と平行な方向に移動する必要はない。ただし、光ディスク２００へのレーベル印刷を効率良く高速に行うためには、印刷ヘッド１５２は、少なくとも光ディスク２００上を移動する間は、光ディスク２００のラジアル方向と平行な方向に移動し、光ディスク２００上から外れた後は、ラジアル方向と平行でない方向に移動してもよい。
【００８４】
［３．ドライブ部Ｄ１に対するレーベル印刷部Ｌ１の配置について］
レーベル印刷部Ｌ１は、光ディスク装置１００を正面から見た場合に、右側の横方向に延在するように配置されている。図８に示すように、レーベル印刷部Ｌ１は、光ディスク装置１００の左右方向に延在する前面パネル１０４と平行な仮想線Ｑ１に対して、印刷ヘッド１５２の移動方向Ｑ２が所定の角度θ（１５°〜３０°程度）で交わるように配置されている。
【００８５】
このように、レーベル印刷部Ｌ１を右側横方向に配置し、且つ、左右方向の仮想線Ｑ１に対して印刷ヘッド１５２の移動方向Ｑ２が前側に１５°〜３０°程度の角度で交わるように配置したことにより、印刷待機中の印刷ヘッド１５２を光ディスク装置１００の前面の近傍に配置することが可能となる。従って、図１６に示すように、光ディスク装置１００の前面に扉１０８を設けることによって、印刷ヘッド１５２を取り出すことが可能となる。
【００８６】
また、このようなレーベル印刷部Ｌ１の配置により、光ディスク装置１００の前面において、印刷ヘッド１５２の位置とトレイ１１０の位置が重なることがない。従って、光ディスク２００を出し入れするトレイ１１０と干渉することなく、印刷ヘッド１５２を光ディスク装置１００の前面から取り出すことが可能となる。
【００８７】
また、光ディスク２００は、チャッキングされた状態で、光ディスク装置１００を上から見た場合に時計回り（図１０中の矢印Ａ１方向）に回転する。このため、印刷ヘッド１５２を光ディスク装置１００の正面から見て右側に配置したことにより、印刷ヘッド１５２は、光ディスク２００の回転方向に対して光学ピックアップ１２０よりも下流側の十分に離れた位置に配置される。
【００８８】
光ディスク装置１００にレーベル印刷能を付加した場合、印刷によるインクおよびそのミストは光ディスク２００の回転による気流によって、光ディスク２００の回転方向に沿って移動する。従って、レーベル印刷部Ｌ１がドライブ部Ｄ１に対して右側横方向に延在するように構成することにより、インクまたはミストの移動距離が光学ピックアップ１２０から最も遠くなる。これにより、光学ピックアップ１２０へのインクまたはミストの付着を抑えることができ、付着による光学ピックアップ１２０の劣化を確実に回避できる。このように、レーベル印刷部Ｌ１がドライブ部Ｄ１に対して右側横方向に延在するように配置されていると、印刷ヘッド１５２から光学ピックアップ１２０に至る光ディスク２００の回転方向の距離を十分に長く確保することができる。従って、インクによる光学ピックアップ１２０の汚染を確実に抑止することが可能となる。
【００８９】
これに対し、印刷ヘッド１５２が光学ピックアップ１２０よりも光ディスク２００の回転方向の上流側の比較的近い場所に配置されていると、浮遊しているインクが光学ピックアップ１２０側に流動し、光学ピックアップ１２０を汚染してしまうことが懸念される。従って、本実施形態によれば、レーベル印刷部Ｌ１をドライブ部Ｄ１に対して右側横方向に配置し、印刷ヘッド１５２を光学ピックアップ１２０の下流側の直近に配置したことにより、印刷ヘッド１５２から光学ピックアップ１２０に至る光ディスク２００の回転方向の距離を十分に長く確保することができる。これにより、インクによる光学ピックアップ１２０の汚染を確実に抑えることが可能である。
【００９０】
なお、上述した例では、レーベル印刷部Ｌ１は、光ディスク装置１００の左右方向に延在する前面パネル１０４と平行な仮想線Ｑ１に対して、印刷ヘッド１５２の移動方向Ｑ２が所定の角度θ（１５°〜３０°程度）で交わるように配置した。印刷待機位置における印刷ヘッドの位置が仮想線Ｑ１に対して光ディスク装置１００の背面側に位置するように構成し、角度θが−１５°〜−３０°程度となるようにしても良い。このような構成によれば、スピンドルモータ１２２の回転方向において、印刷ヘッド１５２と光学ピックアップ１２０との距離をより長く確保することができる。従って、光学ピックアップ１２０へのインク、およびそのミストの付着を確実に抑えることが可能となる。このような構成においても、後述するレーベル印刷部Ｌ１を回動する構成により、印刷ヘッド１５２を容易に交換することが可能である。
【００９１】
従って、レーベル印刷部Ｌ１がスピンドルモータ１２２の回転中心に対して右側に位置するように配置することによって、光学ピックアップ１２０の汚染を確実に防ぐとともに、印刷ヘッド１５２を前面パネル１０４側から取り出し易い構成とすることが可能となる。特に、トレイ１１２を光ディスク装置１００の左側に配置した場合は、光ディスク装置１００の右側のスペースにレーベル印刷部Ｌ１を配置する自由度を高めることができる。従って、レーベル印刷部Ｌ１をスピンドルモータ１２２の回転中心に対して右側に延在するように配置することが可能となり、仮想線Ｑ１に対する移動方向Ｑ２の角度θも所望の値に設定することができる。
【００９２】
［４．ドライブ部Ｄ１に対してレーベル印刷部Ｌ１が回動する構成について］
本実施形態では、印刷ヘッド１５２を前面から更に取り出し易くするため、レーベル印刷部Ｌ１が、スピンドルモータ１２２の回転中心軸を回転中心として、ドライブ部Ｄ１上で回動するように構成している。印刷ヘッド１５２を取り出さない通常の使用状態においては、図８に示すように、仮想線Ｑ２に対して、印字ヘッドの移動方向Ｑ１が前側に所定の角度θで交わるように配置されている。
【００９３】
一方、印字ヘッドを取り出す際には、図１７及び図１８に示すように、スピンドルモータ１２２の回転中心軸を中心として、レーベル印刷部Ｌ１が時計回りに回動される。これにより、印刷ヘッド１５２が光ディスク装置１００の前側に移動し、印刷ヘッド１５２が前面パネルよりも前側に突出した状態となる。なお、図１８は、図１７の状態からレーベル印刷部Ｌ１の上部を囲うカバー１５０を取り外した状態を示している。
【００９４】
図１９及び図２０は、前面パネル１０４を開いた状態を示す斜視図である。ここで、図１９は、図８に示した通常の使用状態に対応している。また、図２０は、図１７に示した印刷ヘッド１５２を交換する際の状態に対応している。図１９及び図２０に示すように、前面パネル１０４の内側には、印字ヘッド交換用の扉１０６が設けられており、前面パネル１０４を開くと扉１０６が外観に露出する。
【００９５】
扉１０６は、印刷ヘッド１５２の位置に対応して設けられている。図２０に示すように、レーベル印刷部Ｌ１を時計回りに回動した状態では、レーベル印刷部Ｌ１の印刷ヘッド１５２が扉１０６によって開かれた開口内に露出する。従って、印刷ヘッド１５２を光ディスク装置１００の前側から取り出すことが可能である。
【００９６】
通常、光ディスク装置１００を収納するラック等は、光ディスク装置１００と同等の大きさで構成される。このため、光ディスク装置１００をラックに収納すると、光ディスク装置１００の上部及び側部には最小限のスペースしか確保されない。従って、仮に光ディスク装置１００の上面又は側面から印刷ヘッド１５２を取り出す構造とすると、ラックに収納した状態で印刷ヘッド１５２を取り出すことが困難となる。この場合、印刷ヘッド１５２を取り出すためには、ラックから光ディスク装置１００自体を取り出し、その後、光ディスク装置１００から印刷ヘッド１５２を取り外すといった煩雑な作業が必要となる。
【００９７】
一方、本実施形態の光ディスク装置１００によれば、印刷ヘッド１５２を前面から取り出すことができるため、光ディスク装置１００をラック内に収納した場合であっても、光ディスク装置１００をラック内に載置した状態で、容易に印刷ヘッド１５２を取り外すことが可能である。従って、印刷ヘッド１５２を交換する際の作業性を大幅に向上することができ、短時間で容易に印刷ヘッド１５２を交換することができる。
【００９８】
また、光ディスク２００への印刷は光ディスク２００をスピンドルモーター１２２で回転させながら行われる。このため、レーベル印刷部Ｌ１をスピンドルモータ１２２の回転中心を中心として回動させることにより、レーベル印刷部Ｌ１は光ディスク２００のディスクセンターと同軸に回動することとなり、レーベル印刷部Ｌ１の回動によるレーベル印刷部Ｌ１の位置ずれが印刷の位置精度に与える影響を抑止することが可能である。
【００９９】
以上のように、本実施形態では、レーベル印刷部Ｌ１がスピンドルモータ１２２の回転中心軸を回転中心としてドライブ部Ｄ１上で回動するように構成した。これにより、印刷ヘッド１５２を交換する際には、レーベル印刷部Ｌ１を時計回りに回動させることで、印刷ヘッド１５２を前面パネル１０４側へ移動することができ、印刷ヘッド１５２を前面パネル１０４よりも前に位置させることも可能となる。従って、印刷ヘッド１５２を光ディスク装置１００の前面から容易に取り出すことが可能となる。
【０１００】
［５．レーベル印刷部Ｌ１の回動に関係する各種機構について］
次に、レーベル印刷部Ｌ１の回動に関連する各種機構について説明する。図２１及び図２３は、図１０の状態から、印刷ヘッド移動手段、印刷ヘッド１５２、ヘッド支持板１５６等の構成要素を取り除いた状態を示す平面図である。また、図２２は、図２１の状態を右上方向から見た状態を示す斜視図である。
【０１０１】
また、図２４は、図１８の状態から、印刷ヘッド移動手段、印刷ヘッド１５２、ヘッド支持板１５６等の構成要素を取り除いた状態を示す平面図である。
【０１０２】
図２５は、ドライブベース１２６の構成を示す模式図であって、図２５（Ａ）は上面図を、図２５（Ｂ）は斜視図を示している。また、図２６は、ベースプレート１６２の構成を示す模式図であって、図２６（Ａ）は上面図を、図２６（Ｂ）は正面図を、図２６（Ｃ）は右側面図を、図２６（Ｄ）は斜視図を、それぞれ示している。
【０１０３】
図２７は、移動プレート１６６の構成を示す模式図であって、図２７（Ａ）は上面から見た平面図を、図２７（Ｂ）は図２７（Ａ）の左側面を、図２７（Ｃ）は図２７（Ａ）の右側面を、図２７（Ｄ）は斜視図を、それぞれ示している。また、図２８は、ロック解除プレート１６８の構成を示す模式図であって、図２８（Ａ）は上面から見た平面図を、図２８（Ｂ）は正面図を、図２８（Ｃ）は図２８（Ａ）の右側面図を、図２８（Ｄ）は斜視図を、それぞれ示している。
【０１０４】
図２９は、ロックプレート１２８の構成を示す模式図であって、図２９（Ａ）は上面から見た平面図を、図２９（Ｂ）は正面図を、図２９（Ｃ）は図２９（Ａ）の右側面図を、図１６（Ｄ）は斜視図を、それぞれ示している。
【０１０５】
ドライブ部Ｄ１上には、ドライブベース１２６が設けられている。図２１及び図２２に示すように、ドライブベース１２６は、ドライブ部Ｄ１上から印刷ヘッド１５２の下部の領域まで延在している。また、ドライブベース１２６の上面の前側には、ドライブベース１２６に対して左右方向にスライド可能なロックプレート１２８が設けられている。
【０１０６】
上述したように、レーベル印刷部Ｌ１のベースプレート１６２は、ドライブ部Ｄ１のスピンドルモーター１２２の回転中心Ｃと同軸で回転する構造となっている。より具体的には、ベースプレート１６２には回転中心Ｃの位置を中心とする２つの円弧状の溝１６２ａが設けられている。また、ドライブ部Ｄ１の上面には、ドライブベース１２６を貫通するようにして、円柱状の突起１２４が設けられている。突起１２４は、スピンドルモーター１２２の回転中心Ｃを中心として１８０°対向する位置に設けられており、回転中心Ｃからの距離は、溝１６２ａの中央の円弧の半径ｒと一致している。また、突起の直径φｄは、溝１６２ａの幅と同一とされている。２つの突起１２４のそれぞれは、各溝１６２ａに挿入され、溝１６２ａに対して摺動することができる。従って、ベースプレート１６２は、突起１２４が溝１６２ａに摺動可能に挿入されることにより、スピンドルモーター１２２の回転中心Ｃを中心としてドライブ部Ｄ１に対して回動することができる。
【０１０７】
ベースプレート１６２は、引張りコイルばね１７０により、矢印Ａ２の方向に付勢されている。また、ベースプレート１６２に結合された軸１６２ｂがドライブベース１２６に取り付けられたロックプレート１２８のエッジ１２８ａに接するため、図２１及び図２２に示す状態では、引張りコイルばね１７０の付勢力によるベースプレート１６２の回動は規制されている。
【０１０８】
ロックプレート１２８は、引張りコイルばね１７２により矢印Ａ３方向に付勢されており、ドライブベース１２６上を矢印Ａ３方向または矢印Ａ３と逆方向にスライドする構造とされている。そして、ロックプレート１２８に設けられたレバー１２８ｂを矢印Ａ３と逆方向にスライドさせると、図２３に示すように、軸１６２ｂがロックプレート１２８のエッジ１２８ａから外れる。これにより、図２４に示すように、ベースプレート１６２は、引張りコイルばね１７０の付勢力により矢印Ａ４方向に回動する。これにより、Ｃを中心としてレーベル印刷部Ｌ１が時計回りに回動し、図２０で説明したように、扉１０６を開いて印刷ヘッド１５２を交換することができる。
【０１０９】
一方、インク交換以外の通常時においては、軸１６２ｂがエッジ１２８ａに当接した状態が維持されるように構成されている。すなわち、通常時には、図２１に示すように、ロック解除プレート１６８に設けられたツメ１６８ａがロックプレート１２８のフック１２８ｃに係合し、ロックプレート１２８がスライド可能な距離が規制されている。これにより、通常時は軸１６２ｂがエッジ１２８ａから外れないように構成されている。そして、ロック解除プレート１６８は、ドライブベース１２６上に設けられたピン１２６ａに係合し、ピン１２６ａを中心に回動可能に構成され、不図示のばねにより矢印Ａ５方向に付勢されている。従って、通常時においては、ロック解除プレート１６８の角度位置は図２１に示す状態とされ、ロックプレート１２８のスライドはツメ１６８ａによって規制されている。
【０１１０】
このような構成によれば、例えばレーベル印刷中において、印刷ヘッド１５２が待機位置よりもスピンドルモータ１２２の回転中心側に位置している場合に、誤ってレバー１２８ｂが操作されたとしても、ロックプレート１２８のスライドが抑止される。従って、レーベル印刷中にレーベル印刷部Ｌ１が回動してしまうことを確実に抑えることが可能となる。
【０１１１】
ベースプレート１６２の右端部には、移動プレート１６６が設けられている。移動プレート１６６は、ベースプレート１６２の右側の端面に沿ってスライド可能に設けられている。また、ベースプレート１６２上には、モータ１７４が設けられている。モータ１７４の駆動軸には、ギヤ１７６が取り付けられている。
【０１１２】
モータ１７４の駆動は、２つの連結ギヤ１７８，１８０から構成される減速機構により移動プレート１６６のラックギヤ１６６ａに伝達される。すなわち、モータ１７４の駆動軸に取り付けられたギヤ１７６は、２段ギヤからなる連結ギヤ１７８の大歯車１７８ａに係合している。また、連結ギヤ１７８の小歯車１７８ｂは、２段ギヤからなる連結ギヤ１８０の大歯車１８０ａに係合している。そして、連結ギヤ１８０の小歯車１８０ｂは、移動プレート１６６のラックギヤ１６６ａと係合している。
【０１１３】
移動プレート１６６には、折り曲げ加工によりツメ１６６ｂが設けられている。図２１に示すように、ツメ１６６ｂは、ロック解除プレート１６８に設けられた開口１６８ｂ内に挿入されている。
【０１１４】
印刷ヘッド１５２を交換する際には、モーター１７４が駆動される。モーター１７４が駆動されると、図２３に示すように、連結ギヤ１７８，１８０によってラックギヤ１６６ａが駆動されて、移動プレート１６６が矢印Ａ６方向に移動する。これにより、図２３に示すように、移動プレート１６６に設けられたツメ１６６ｂが、ロック解除プレート１６８の開口１６８ｂのエッジ１６８ｃに係合して、ロック解除プレート１６８を矢印Ａ５に対して逆方向に回動させる。これにより、ロック解除プレート１６８のツメ１６８ａが図２３に示す位置に移動するため、ツメ１６８ａによるロックプレート１２８のスライドの規制が解除される。
【０１１５】
従って、ロックプレート１２８のレバー１２８bを操作して、軸１６２ｂがエッジ１２８ａから外れるまでロックプレート１２８をスライドさせることにより、引張りコイルばね１７０の付勢力によってベースプレート１６２が矢印Ａ４方向に回動する。これにより、図１７に示す位置までレーベル印刷部Ｌ１が回動し、図２０で説明したように印刷ヘッド１５２を交換することが可能となる。
【０１１６】
ベースプレート１６２が回動する際には、軸１６２ｂがロック解除プレート１６８のガイド溝１６８ｄに沿って移動するため、ロック解除プレート１６８の回転位置は軸１６２ｂによって規制され、ツメ１６８ａの位置は図２３に示す位置に維持される。従って、ベースプレート１６２の回動時には、ツメ１６８ａが図２１の位置に戻ることが抑止される。
【０１１７】
図２１に示すように、ベースプレート１６２には開口１６２ｃが設けられ、開口１６２ｃの内周側のエッジには、Ｃを中心とするギヤ１６２ｄが設けられている。また、開口１６２ｃ内にはダンパーの駆動軸に装着されたギヤ１８２が挿入され、ギヤ１６２ｄとギヤ１８２とが係合している。ダンパーの回転軸は、粘性を有するオイル等によって回転の際に抵抗が生じるように構成されている。このような構成により、レーベル印刷部Ｌ１を回動させる際に、感触良く緩やかな動きによって回動させることが可能となる。
【０１１８】
また、印刷ヘッド１５２を交換する際には、操作者が印刷ヘッド１５２を直接掴むことになる。この際、操作者の力が印刷ヘッド１５２に不用意に加わり、印刷ヘッド１５２がスピンドルモータ１２２の回転中心に近づく方向に向かう力がかかってしまうと、ボールネジ１６２、またはボールネジナット等の部品が損傷してしまうことが想定される。このため、ドライブベース１２６には、レーベル印刷部Ｌ１が回動した場合に印刷ヘッド１５２の動きを規制するためのツメ１２６ｂが設けられている。ベースプレート１６２が時計回りに回動した図２４の状態では、ドライブベース１２６に設けられたツメ１２６ｂが印刷ヘッド１５２のスピンドルモータ１２２側の端面と対向する。これにより、印刷ヘッド１５２がスピンドルモータ１２２に近づく方向に動かないように、印刷ヘッド１５２の動きにロックをかけることができる。一方、図２１に示す通常使用時には、印刷ヘッド１５２の端面とツメ１２６ｂとは対向しないため、モータ１５８の駆動力によって印字ヘッド１５２を駆動することができる。
【０１１９】
レーベル印刷部Ｌ１を図８に示す元の位置に戻す場合は、操作者がレーベル印刷部Ｌ１の印字ヘッド１５２の近傍を押すことにより、引張コイルばね１７０の付勢力に対抗してレーベル印刷部Ｌ１が反時計回りに回動する。そして、軸１６２ｂの位置がエッジ１２８ａの位置を超えると、引張コイルばね１７２の付勢力によってロックプレート１２８が矢印Ａ３方向に移動し、軸１６２ｂとエッジ１２８ａが係合する。これにより、引張コイルばね１７０の付勢力によるレーベル印刷部Ｌ１の回動が阻止されて、図８に示す状態に戻る。
【０１２０】
図２５に示すように、ドライブベース１２６は、金属板をプレス成形することによって構成され、段差を構成する部分の前側にはツメ１２６ｂが設けられている。
【０１２１】
また、図２６に示すように、ベースプレート１６２も金属板をプレス成形することによって構成され、ベースプレート１６２には、溝１６２ａ、開口１６２ｃ、ギヤ１６２ｄがプレス成形により設けられている。軸１６２ｂは、カシメ止め等により金属板に対して固定されている。
【０１２２】
また、図２７に示すように、移動プレート１６６も金属板をプレス成形することによって構成され、移動プレート１６６には、ラックギヤ１６６ａ、ツメ１６６ｂがプレス成形により設けられている。
【０１２３】
また、図２８に示すように、ロック解除プレート１６８も金属板をプレス成形することによって構成され、ロック解除プレート１６８には、ツメ１６８ａ、開口１６８ｂ、エッジ１６８ｃ、ガイド溝１６８ｄがプレス成形により設けられている。
【０１２４】
また、図２９に示すように、ロックプレート１２８も金属板をプレス成形することによって構成され、ロックプレート１２８には、エッジ１２８ａ、レバー１２８ｂ、フック１２８ｃがプレス成形により設けられている。
【０１２５】
以上説明したように本実施形態によれば、レーベル印刷部Ｌ１を右側横方向に配置し、且つ、左右方向の仮想線Ｑ１に対して印刷ヘッド１５２の移動方向Ｑ２が前側に１５°〜３０°程度の角度で交わるように配置した。これにより、印刷待機中の印刷ヘッド１５２を光ディスク装置１００の前面の近傍に配置することが可能となり、印刷ヘッド１５２を光ディスク装置１００の前面年面から取り出して交換する取り出すことが可能となる。
【０１２６】
また、このようなレーベル印刷部Ｌ１の配置により、光ディスク装置１００の前面において、印刷ヘッド１５２の位置とトレイ１１０の位置が重なることを回避できる。従って、光ディスク２００を出し入れするトレイ１１０と干渉することなく、印刷ヘッド１５２を光ディスク装置１００の前面から取り出すことが可能となる。
【０１２７】
また、印刷ヘッド１５２を光ディスク装置１００の正面から見てドライブ部Ｄ１よりも右側に配置したことにより、印刷ヘッド１５２は、光ディスク２００の回転方向に対して光学ピックアップ１２０よりも下流側の十分に離れた位置に配置される。従って、レーベル印刷部Ｌ１がドライブ部Ｄ１に対して右側横方向に延在するように構成することにより、インクまたはミストの移動距離が光学ピックアップ１２０から最も遠くなる。これにより、光学ピックアップ１２０へのインクまたはミストの付着を抑えることができ、付着による光学ピックアップ１２０の劣化を確実に回避できる。
【０１２８】
また、レーベル印刷部Ｌ１をドライブ部Ｄ１に対して回動するように構成したことにより、印刷ヘッド１５２を交換する際には、レーベル印刷部Ｌ１を回動して印刷ヘッド１５２の位置を前側に移動させることができる。これにより、印刷ヘッド１５２を容易に交換することが可能となる。
【０１２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３０】
例えば、上述した実施形態においては、本発明に係る電子機器として光ディスクの記録再生を行う光ディスク装置１００を例に挙げて説明したが、本発明に係る電子機器としては、光ディスク装置には限られず、例えば、磁気ディスク装置、光磁気ディスク装置等であってもよい。
【図面の簡単な説明】
【０１３１】
【図１】本発明の一実施形態の前提技術として、レーベル印刷機能を有する光ディスク装置（トレイ方式）の外観構成を示す斜視図である。
【図２】本発明の一実施形態の前提技術として、レーベル印刷機能を有する光ディスク装置（スロットイン方式）の外観構成を示す斜視図である。
【図３】光ディスクのラジアル方向及びタンジェンシャル方向を説明するための模式図である。
【図４】図１に示す光ディスク装置の内部構成を示す斜視図である。
【図５】図１に示す光ディスク装置の内部構成を示す平面図である。
【図６】本発明の一実施形態にかかる電子機器としての光ディスク装置の外観を示す斜視図である。
【図７】図６の状態からトレイを前側に駆動した状態を示す斜視図である。
【図８】光ディスク装置の上面を囲う筐体を取り外した状態を示す上面図である。
【図９】図８と同様に筐体を取り外した状態を右斜め上から見た状態を示す斜視図である。
【図１０】図８に示す状態から、レーベル印刷部Ｌ１の上部を囲うカバーを取り外した状態を示す上面図である。
【図１１】図９に示す状態から、レーベル印刷部Ｌ１の上部を囲うカバーを取り外した状態を示す斜視図である。
【図１２】レーベル印刷に用いるインクジェット方式の印刷ヘッドの構成例を示す斜視図である。
【図１３】本実施形態に係る光ディスク装置によりレーベル印刷が行われた光ディスクを示す模式図である。
【図１４】本実施形態に係る光ディスク装置によりレーベル印刷が行われた光ディスクを示す模式図である。
【図１５】本実施形態に係る光ディスク装置によりレーベル印刷が行われた光ディスクを示す模式図である。
【図１６】光ディスク装置の前面に設けられた扉を示す斜視図である。
【図１７】スピンドルモータの回転中心軸を中心として、レーベル印刷部Ｌ１が時計回りに回動された状態を示す平面図である。
【図１８】スピンドルモータの回転中心軸を中心として、レーベル印刷部Ｌ１が時計回りに回動された状態を示す斜視図である。
【図１９】図８に示した通常の使用状態において、前面パネルを開いた状態を示す斜視図である。
【図２０】図１７に示した印刷ヘッドを交換する際に、前面パネルを開いた状態を示す斜視図である。
【図２１】図１０の状態から、印刷ヘッド移動手段、印刷ヘッド、ヘッド支持板等の構成要素を取り除いた状態を示す平面図である。
【図２２】図２１の状態を右上方向から見た状態を示す斜視図である。
【図２３】図１０の状態から、印刷ヘッド移動手段、印刷ヘッド、ヘッド支持板等の構成要素を取り除いた状態を示す平面図である。
【図２４】図１８の状態から、印刷ヘッド移動手段、印刷ヘッド、ヘッド支持板等の構成要素を取り除いた状態を示す平面図である。
【図２５】金属板をプレス成形することによって形成されたドライブベースの構成を示す模式図である。
【図２６】金属板をプレス成形することによって形成されたベースプレートの構成を示す模式図である。
【図２７】金属板をプレス成形することによって形成された移動プレートの構成を示す模式図である。
【図２８】金属板をプレス成形することによって形成されたロック解除プレートの構成を示す模式図である。
【図２９】金属板をプレス成形することによって形成されたロックプレートの構成を示す模式図である。
【符号の説明】
【０１３２】
１００    光ディスク装置
１０４    前面パネル
１０６，１０８    扉
１２０    光学ピックアップ
１２６ｂ    ツメ
１２８    ロックプレート
１６８    ロック解除プレート
１５２    印刷ヘッド
１７０    引張コイルばね
Ｄ１    ドライブ部
Ｌ１    レーベル印刷部
２００    光ディスク
【図１】
2010165394.tif 000003
【図２】
2010165394.tif 000004
【図３】
2010165394.tif 000005
【図４】
2010165394.tif 000006
【図５】
2010165394.tif 000007
【図６】
2010165394.tif 000008
【図７】
2010165394.tif 000009
【図８】
2010165394.tif 000010
【図９】
2010165394.tif 000011
【図１０】
2010165394.tif 000012
【図１１】
2010165394.tif 000013
【図１２】
2010165394.tif 000014
【図１３】
2010165394.tif 000015
【図１４】
2010165394.tif 000016
【図１５】
2010165394.tif 000017
【図１６】
2010165394.tif 000018
【図１７】
2010165394.tif 000019
【図１８】
2010165394.tif 000020
【図１９】
2010165394.tif 000021
【図２０】
2010165394.tif 000022
【図２１】
2010165394.tif 000023
【図２２】
2010165394.tif 000024
【図２３】
2010165394.tif 000025
【図２４】
2010165394.tif 000026
【図２５】
2010165394.tif 000027
【図２６】
2010165394.tif 000028
【図２７】
2010165394.tif 000029
【図２８】
2010165394.tif 000030
【図２９】
2010165394.tif 000031